(57)【要約】【課題】携帯電子装置の限られたＵＳＢポートを効率的に使用することができる、携帯電子装置で操作される多目的周辺装置を提供する。【解決手段】多目的周辺装置は、携帯電子装置で操作される。携帯電子装置は、バス接続ポートを含む。多目的周辺装置は、回路搬送部、少なくとも二種類の無線信号受信／処理モジュール、及びバス・ブリッジ・モジュールを備える。無線信号受信／処理モジュールは、回路搬送部に対応の無線信号を受信及び処理するために配置され、第１の信号及び第２の信号を生成する。バス・ブリッジ・モジュールは、回路搬送部上に配置され、無線信号受信／処理モジュールに電気的に接続され、バス接続ポートに結合可能である。第１の信号及び第２の信号は、無線信号受信／処理モジュールから携帯電子装置に、バス・ブリッジ・モジュール及びバス接続ポートを通じて伝えられる。【選択図】図１Ａ
0003133489.tif 000002
【実用新案登録請求の範囲】
【請求項１】
バス接続ポートを有する携帯電子装置で操作される多目的周辺装置であって、
回路搬送部と、
前記回路搬送部にＧＰＳ信号を受信及び処理するために配置され、第１の信号を生成するＧＰＳ信号処理モジュールと、
前記回路搬送部にテレビ信号を受信及び処理するために配置され、第２の信号を生成するテレビ信号処理モジュールと、
前記回路搬送部上に配置され、前記ＧＰＳ信号処理モジュール及び前記テレビ信号処理モジュールに電気的に接続されるバス・ブリッジ・モジュールと、を備え、前記バス・ブリッジ・モジュールが、前記バス接続ポートと結合すると、前記第１の信号及び前記第２の信号を前記ＧＰＳ信号処理モジュール及びテレビ信号処理モジュールから前記携帯電子装置にバス接続ポートを通じて伝えることを特徴とする多目的周辺装置。
【請求項２】
前記携帯電子装置は、ノート型コンピュータ、携帯端末、及び高度自動機能電話で構成されるグループから選択された一つであることを特徴とする請求項１に記載の多目的周辺装置。
【請求項３】
前記バス接続ポートは、ＵＳＢポート、周辺部品相互接続（ＰＣＩ）ポート、ＰＣＩエキスプレス（ＰＣＩ−Ｅ）ポート、及びセキュア・デジタル入力／出力（ＳＤＩＯ）ポートで構成されるグループから選択された一つであることを特徴とする請求項１に記載の多目的周辺装置。
【請求項４】
前記多目的周辺装置は、さらに前記ＧＰＳ信号処理モジュール及び前記テレビ信号処理モジュールと電気的に接続されるアンテナを備え、前記ＧＰＳ信号処理モジュール及び前記テレビ信号処理モジュールは、前記ＧＰＳ信号処理モジュール及び前記テレビ信号処理モジュールにそれぞれ伝えられる前記ＧＰＳ信号及び前記テレビ信号を受信することを特徴とする請求項１に記載の多目的周辺装置。
【請求項５】
前記ＧＰＳ信号処理モジュールは、
前記ＧＰＳ信号を増幅ＧＰＳ信号に増幅する低ノイズ増幅器と、
前記増幅ＧＰＳ信号を同調ＧＰＳ信号に同調するＧＰＳチューナと、
前記同調ＧＰＳ信号を復調し、前記第１の信号を生成するベースバンド復調器と、を備えることを特徴とする請求項１に記載の多目的周辺装置。
【請求項６】
前記ＧＰＳ信号処理モジュールは、さらに前記ＧＰＳ信号を受信する第１のアンテナを備え、前記テレビ信号処理モジュールは、前記テレビ信号を受信する第２のアンテナを備えることを特徴とする請求項１に記載の多目的周辺装置。
【請求項７】
前記テレビ信号処理モジュールは、
前記テレビ信号を同調テレビ信号に同調するテレビチューナと、
前記同調テレビ信号を復調し、前記第２の信号を生成するテレビ復調器と、
前記同調テレビ信号に復調及びフォーマット変換操作を実行し、前記第２の信号を生成するテレビ復号器と、を備えることを特徴とする請求項１に記載の多目的周辺装置。
【請求項８】
バス接続ポートを有する携帯電子装置で操作される多目的周辺装置であって、
回路搬送部と、
前記回路搬送部にネットワークデータ信号を受信及び処理するために配置され、第１の信号を生成する無線ネットワークモジュールと、
前記回路搬送部にテレビ信号を受信及び処理するために配置され、第２の信号を生成するテレビ信号処理モジュールと、
前記回路搬送部上に配置され、前記無線ネットワークモジュール及び前記テレビ信号処理モジュールに電気的に接続されるバス・ブリッジ・モジュールと、を備え、前記バス・ブリッジ・モジュールが、前記バス接続ポートと結合すると、前記第１の信号及び前記第２の信号を前記無線ネットワークモジュール及びテレビ信号処理モジュールから前記携帯電子装置にバス接続ポートを通じて伝えることを特徴とする多目的周辺装置。
【請求項９】
前記携帯電子装置は、ノート型コンピュータ、携帯端末、及び高度自動機能電話で構成されるグループから選択された一つであることを特徴とする請求項８に記載の多目的周辺装置。
【請求項１０】
前記バス接続ポートは、ＵＳＢポート、ＰＣＩポート、ＰＣＩ−Ｅポート、及びＳＤＩＯポートで構成されるグループから選択された一つであることを特徴とする請求項８に記載の多目的周辺装置。
【請求項１１】
前記多目的周辺装置は、さらに前記無線ネットワークモジュール及び前記テレビ信号処理モジュールと電気的に接続されるアンテナを備え、前記無線ネットワークモジュール及び前記テレビ信号処理モジュールは、前記無線ネットワークモジュール及び前記テレビ信号処理モジュールにそれぞれ伝えられる前記ネットワークデータ信号及び前記テレビ信号を受信することを特徴とする請求項８に記載の多目的周辺装置。
【請求項１２】
前記無線ネットワークモジュールは、さらに前記ネットワークデータ信号を受信する第１のアンテナを備え、前記テレビ信号処理モジュールは、前記テレビ信号を受信する第２のアンテナを備えることを特徴とする請求項８に記載の多目的周辺装置。
【請求項１３】
前記テレビ信号処理モジュールは、
前記テレビ信号を同調テレビ信号に同調するテレビチューナと、
前記同調テレビ信号を復調し、前記第２の信号を生成するテレビ復調器と、
前記同調テレビ信号に復調及びフォーマット変換操作を実行し、前記第２の信号を生成するテレビ復号器と、を備えることを特徴とする請求項８に記載の多目的周辺装置。
【請求項１４】
バス接続ポートを有する携帯電子装置で操作される多目的周辺装置であって、
回路搬送部と、
前記回路搬送部にネットワークデータ信号を受信及び処理するために配置され、第１の信号を生成する無線ネットワークモジュールと、
前記回路搬送部にＧＰＳ信号を受信及び処理するために配置され、第２の信号を生成するＧＰＳ信号処理モジュールと、
前記回路搬送部上に配置され、前記無線ネットワークモジュール及び前記ＧＰＳ信号処理モジュールに電気的に接続されるバス・ブリッジ・モジュールとを備え、前記バス・ブリッジ・モジュールが、前記バス接続ポートと結合すると、前記第１の信号及び前記第２の信号を前記無線ネットワークモジュール及びＧＰＳ信号処理モジュールから前記携帯電子装置にバス接続ポートを通じて伝えることを特徴とする多目的周辺装置。
【請求項１５】
前記携帯電子装置は、ノート型コンピュータ、携帯端末、及び高度自動機能電話で構成されるグループから選択された一つである、請求項１４に記載の多目的周辺装置。
【請求項１６】
前記バス接続ポートは、ＵＳＢポート、ＰＣＩポート、ＰＣＩ−Ｅポート、及びＳＤＩＯポートで構成されるグループから選択された一つであることを特徴とする請求項１４に記載の多目的周辺装置。
【請求項１７】
前記多目的周辺装置は、さらに前記無線ネットワークモジュール及び前記ＧＰＳ信号処理モジュールと電気的に接続されるアンテナを備え、前記無線ネットワークモジュール及び前記ＧＰＳ信号処理モジュールは、前記無線ネットワークモジュール及び前記ＧＰＳ信号処理モジュールにそれぞれ伝えられる前記ネットワークデータ信号及び前記ＧＰＳ信号を受信することを特徴とする請求項１４に記載の多目的周辺装置。
【請求項１８】
前記無線ネットワークモジュールは、さらに前記ネットワークデータ信号を受信する第１のアンテナを備え、前記ＧＰＳ信号処理モジュールは、前記ＧＰＳ信号を受信する第２のアンテナを備えることを特徴とする請求項１４に記載の多目的周辺装置。
【請求項１９】
前記ＧＰＳ信号処理モジュールは、
前記ＧＰＳ信号を増幅ＧＰＳ信号に増幅する低ノイズ増幅器と、
前記増幅ＧＰＳ信号を同調ＧＰＳ信号に同調するＧＰＳチューナと、
前記同調ＧＰＳ信号を復調し、前記第１の信号を生成するベースバンド復調器と、を備えることを特徴とする請求項１４に記載の多目的周辺装置。
【考案の詳細な説明】
【技術分野】
【０００１】
本考案は、多目的周辺装置に関するものであり、特に、携帯電子装置で操作され、少なくとも二種類の無線信号を受信可能な多目的周辺装置に関する。
【背景技術】
【０００２】
モバイル・コンピューティング・テクノロジー産業の発達に伴い、様々なノート型コンピュータ、携帯端末（ＰＤＡＳ）、又は携帯電話が進歩を続けている。このような発達により、電子装置が、以前よりも重要になっている。また、ユーザーは、これらの電子装置をより便利な方法で操作可能である。
【０００３】
近年、多くの人々が、パーソナル・コンピュータでケーブルテレビ番組を見た経験がある。テレビのボックスをコンピュータシステムに外部配線したり、周辺部品相互接続（ＰＣＩ）インターフェース又はＰＣＩエキスプレス（ＰＣＩ−Ｅ）インターフェースに準拠したテレビカードをコンピュータシステムに挿入し、テレビカードをケーブル／無線テレビ信号源に連通させることにより、ユーザーが、テレビ受信機の代わりにパーソナル・コンピュータを通じてテレビ番組を見ることが可能である。
【０００４】
最近、携帯性及び利便性の理由から、パーソナル・コンピュータの代わりに、ノート型コンピュータを持つ人が増えている。従って、ノート型コンピュータを通じてテレビ番組を見ることが可能である。一般的に、ノート型コンピュータに使用するテレビカードは、例えばカードバス・テレビカード、エキスプレスカード・テレビカード等のようなＰＣＭＣＩＡ標準インターフェースの規格に準拠する。あるいは、ユニバーサル・シリアル・バス（ＵＳＢ）テレビカードも、ノート型コンピュータに使用される。一方、ＰＤＡＳに適用されるテレビカードには、セキュア・デジタル入力／出力（ＳＤＩＯ）カード又は他のI／Ｏカードが含まれる。テレビカードとケーブル／無線テレビ信号源とを連通させることにより、テレビ信号が、ノート型コンピュータ又はＰＤＡに有線又は無線の伝達方式で伝えられる。結果として、携帯性に加え、テレビ番組を見るためにテレビカードを使うことは、「プラグ＆プレイ」の要件を満たすものである。
【０００５】
例えば、ＵＳＢインターフェースに準拠したＵＳＢスティックが、ノート型コンピュータに適用される。ＵＳＢスティックを、ノート型コンピュータのＵＳＢポートに接続した後、ノート型コンピュータは、有線又は無線の伝達方式で、アナログ／デジタルテレビ信号を受信可能である。無線伝達方式においては、内蔵アンテナ又は外部アンテナが、無線テレビ信号を受信するために必要となる。一方、有線伝達方式においては、ＵＳＢスティックを、ケーブルテレビ源と連通させる必要がある。従って、ＵＳＢスティックを通じて、ユーザーは、ノート型コンピュータでテレビ番組を見ることが可能である。
【０００６】
多様なデジタル電子装置の発達により、特別の機能性を持つたくさんの周辺装置が、携帯電子装置で操作するように提供される。上記のＵＳＢスティックに加え、より多くの電子装置及び周辺装置が（ＵＳＢ装置とも呼ばれる）、ＵＳＢ接続を通じてアクセス可能又は制御可能なように設計され、パーソナル・コンピュータ又はノート型コンピュータで使用可能である。周知の通り、一般的なパーソナル・コンピュータ又はノート型コンピュータは、ＵＳＢポートの数が限られている。同時には、ＵＳＢポートの数に対応する、限られた数のＵＳＢ装置しかパーソナル・コンピュータ又はノート型コンピュータで操作することができない。そのため、これらのＵＳＢ装置の利便性及び実用性に悪影響を及ぼす。
【考案の開示】
【考案が解決しようとする課題】
【０００７】
先行技術による上記の不利点を考慮し、本出願人は、全面的な経験及び研究を通じて、本考案に従って、絶えず多目的周辺装置を発展させてきた。
【課題を解決するための手段】
【０００８】
携帯電子装置で操作される多目的周辺装置が提供される。多目的周辺装置は、少なくとも二種類の無線信号を受信／処理するための、少なくとも二種類のモジュールを備え、携帯電子装置の限られたＵＳＢポートを効率的に使用することができる。
【０００９】
本考案の一形態によれば、携帯電子装置で操作される多目的周辺装置が提供される。携帯電子装置は、バス接続ポートを有する。多目的周辺装置は、回路搬送部、ＧＰＳ信号処理モジュール、テレビ信号処理モジュール、及びバス・ブリッジ・モジュールを備える。ＧＰＳ信号処理モジュールは、回路搬送部にＧＰＳ信号を受信及び処理するために配置され、第１の信号を生成する。テレビ信号処理モジュールは、回路搬送部にテレビ信号を受信及び処理するために配置され、第２の信号を生成する。バス・ブリッジ・モジュールは、回路搬送部上に配置され、ＧＰＳ信号処理モジュール、テレビ信号処理モジュール、及びバス接続ポートに電気的に接続される。第１の信号及び第２の信号は、バス・ブリッジ・モジュール及びバス接続ポートが結合すると、バス・ブリッジ・モジュール及びバス接続ポートを通じて、携帯電子装置に伝えられる。
【００１０】
好ましくは、携帯電子装置は、ノート型コンピュータ、携帯端末、又は高度自動機能電話である。
【００１１】
実施例において、バス接続ポートは、ユニバーサル・シリアル・バス（ＵＳＢ）ポート、周辺部品相互接続（ＰＣＩ）ポート、ＰＣＩエキスプレス（ＰＣＩ−Ｅ）ポート、又はセキュア・デジタル入力／出力（ＳＤＩＯ）ポートである。
【００１２】
実施例において、多目的周辺装置は、さらにＧＰＳ信号処理モジュール及びテレビ信号処理モジュールと電気的に接続されるアンテナを備え、ＧＰＳ信号処理モジュール及びテレビ信号処理モジュールは、ＧＰＳ信号処理モジュール及びテレビ信号処理モジュールにそれぞれ伝えられるＧＰＳ信号及びテレビ信号を受信する。
【００１３】
実施例において、ＧＰＳ信号処理モジュールは、ＧＰＳ信号を増幅ＧＰＳ信号に増幅する低ノイズ増幅器、増幅ＧＰＳ信号を同調ＧＰＳ信号に同調するＧＰＳチューナ、及び同調ＧＰＳ信号を復調するベースバンド復調器を備え、第１の信号を生成する。
【００１４】
実施例において、ＧＰＳ信号処理モジュールは、さらにＧＰＳ信号を受信する第１のアンテナを有し、テレビ信号処理モジュールは、テレビ信号を受信する第２のアンテナを含む。
【００１５】
実施例において、テレビ信号処理モジュールは、テレビ信号を同調テレビ信号に同調するテレビチューナ、同調テレビ信号を復調し、第２の信号を生成するテレビ復調器、及び同調テレビ信号に復調及びフォーマット変換操作を実行し、第２の信号を生成するテレビ復号器を備える。
【００１６】
本考案の他の一形態によれば、携帯電子装置で操作される多目的周辺装置が提供される。携帯電子装置は、バス接続ポートを有する。多目的周辺装置は、回路搬送部、無線ネットワークモジュール、テレビ信号処理モジュール、及びバス・ブリッジ・モジュールを備える。無線ネットワークモジュールは、回路搬送部にネットワークデータ信号を受信及び処理するために配置され、第１の信号を生成する。テレビ信号処理モジュールは、回路搬送部にテレビ信号を受信及び処理するために配置され、第２の信号を生成する。バス・ブリッジ・モジュールは、回路搬送部上に配置され、無線ネットワークモジュール、テレビ信号処理モジュール、及びバス接続ポートに電気的に接続される。第１の信号及び第２の信号は、バス・ブリッジ・モジュール及びバス接続ポートが結合すると、バス・ブリッジ・モジュール及びバス接続ポートを通じて、無線ネットワークモジュール及びテレビ信号処理モジュールから携帯電子装置に伝えられる。
【００１７】
実施例において、多目的周辺装置は、さらにネットワークデータ信号及びテレビ信号を受信するために回路搬送部に配置されるアンテナを備え、ネットワークデータ信号及びテレビ信号は、無線ネットワークモジュール及びテレビ信号処理モジュールにそれぞれ伝えられる。
【００１８】
本考案の更なる一形態によれば、携帯電子装置で操作される多目的周辺装置が提供される。携帯電子装置は、バス接続ポートを有する。多目的周辺装置は、回路搬送部、無線ネットワークモジュール、ＧＰＳ信号処理モジュール、及びバス・ブリッジ・モジュールを備える。無線ネットワークモジュールは、回路搬送部にネットワークデータ信号を受信及び処理するために配置され、第１の信号を生成する。ＧＰＳ信号処理モジュールは、回路搬送部にＧＰＳ信号を受信及び処理するために配置され、第２の信号を生成する。バス・ブリッジ・モジュールは、回路搬送部上に配置され、無線ネットワークモジュール、ＧＰＳ信号処理モジュール、及びバス接続ポートに電気的に接続される。第１の信号及び第２の信号は、バス・ブリッジ・モジュール及びバス接続ポートが結合すると、バス・ブリッジ・モジュール及びバス接続ポートを通じて、無線ネットワークモジュール及びＧＰＳ信号処理モジュールから携帯電子装置に伝えられる。
【００１９】
実施例において、多目的周辺装置は、さらにネットワークデータ信号及びＧＰＳ信号を受信するために回路搬送部に配置されるアンテナを備え、ネットワークデータ信号及びＧＰＳ信号は、無線ネットワークモジュール及びＧＰＳ信号処理モジュールにそれぞれ伝えられる。
【考案を実施するための最良の形態】
【００２０】
図１Ａに、本考案の第１の実施形態による、携帯電子装置で操作される多目的周辺装置の機能的なブロック図を示す。図１Ａに示すように、典型的な多目的周辺装置１は、信号を受信するＵＳＢ装置である。実施例において、携帯電子装置は、ノート型コンピュータ１０である。ノート型コンピュータ１０は、例えばＵＳＢポートのようなバス接続ポート１０１を有する。多目的周辺装置１は、ノート型コンピュータ１０のバス接続ポート１０１と結合すると、多目的周辺装置１は、ノート型コンピュータ１０で操作可能になる。
【００２１】
二種類の信号処理モジュールが、多目的周辺装置１に信号を受信／処理するために備えられる。図１Ａに示す実施例において、これらの二つの信号処理モジュールには、回路基板のような回路搬送部１１に組み込まれたグローバル・ポジショニング・システム（ＧＰＳ）信号処理モジュール１２及びテレビ信号処理モジュール１３が含まれる。結果として、多目的周辺装置１は、ＧＰＳ信号及びテレビ信号を処理する機能を有する。
【００２２】
さらに、バス・ブリッジ・モジュール１５が、回路搬送部１１に備えられる。バス・ブリッジ・モジュール１５は、ＧＰＳ信号処理モジュール１２及びテレビ信号処理モジュール１３に電気的に接続される。バス・ブリッジ・モジュール１５を介して、多目的周辺装置１は、ホット・プラグ方式でノート型コンピュータ１０のバス接続ポート１０１に結合可能である。このような状況で、ＧＰＳ信号は、ＧＰＳ信号処理モジュール２２によって受信及び処理されて第１の信号Ｓ１が生成され、テレビ信号は、テレビ信号処理モジュール１３によって受信及び処理されて第２の信号Ｓ２が生成される。これらの信号Ｓ１及びＳ２は、バス・ブリッジ・モジュール１５及びバス接続ポート１０１を通じて、ノート型コンピュータに伝えられる。
【００２３】
図１Ｂに、ＧＰＳ信号処理モジュール１２の機能的なブロック図を示す。ＧＰＳ信号処理モジュール１２は、アンテナ１２１、低ノイズ増幅器（ＬＮＡ）１２２、ＧＰＳチューナ１２３、アナログ−デジタル変換器（ＡＤＣ）１２４、及びベースバンド復調器１２５を備える。アンテナ１２１は、ＧＰＳ衛星からＧＰＳ信号を受信するのに使用される。周知のように、ＧＰＳ信号は、位置、方向、及び経路に関し、非常に正確なナビゲーション情報を提供するため、適切に処理される必要がある。ＧＰＳ信号は、低ノイズ増幅器１２２によって増幅され、増幅ＧＰＳ信号は、一周波数又は周波数帯で信号を通過させるＧＰＳチューナ１２３で処理される。同調信号は、アナログ−デジタル変換器１２４でデジタル信号に変換される。その後、デジタル信号は、ベースバンド復調器１２５で復調され、第１の信号Ｓ１をデジタル形式で生成する。第１の信号Ｓ１は、その後バス・ブリッジ・モジュール１５に伝えられ、正確なナビゲーション情報が提供される。
【００２４】
本実施例では、アナログ−デジタル変換器１２４は、ＧＰＳチューナ１２３及びベースバンド復調器１２５から分離されている。あるいは、アナログ−デジタル変換器１２４は、ＧＰＳチューナ１２３又はベースバンド復調器１２５に組み込むことが可能である。また、本実施例では、ベースバンド復調器１２５は、ＧＰＳ信号処理モジュール１２に配置されたハードウェア・コンポーネントである。あるいは、ベースバンド復調器１２５がなく、その復調機能を、後部のノート型コンピュータ１０の操作システムによって実行される関連のソフトウェア・プログラムによって実施することが可能である。
【００２５】
図１Cに、テレビ信号処理モジュール１３の機能的なブロック図を示す。テレビ信号処理モジュール１３は、アンテナ１３１、テレビチューナ１３２、テレビ復調器１３３、及びテレビ復号器１３４を含む。アンテナ１３１は、無線テレビ信号源から出された無線テレビ信号をデジタル又はアナログ方式で受信するのに使用される。周知のように、テレビ信号は、ノート型コンピュータ１０を通じて表示するために、さらに処理される必要がある。無線信号は、一周波数又は周波数帯で信号を通過させるテレビチューナ１３２で処理される。テレビ信号が、デジタル方式の場合、同調テレビ信号は、テレビ復調器１３３で復調され、第２の信号Ｓ２が、デジタル方式で生成される。一方、テレビ信号が、アナログ方式の場合、テレビ復号器１３４は、復調及び信号方式変換操作を同調テレビ信号に対して行い、第２の信号Ｓ２が、デジタル方式で生成される。
【００２６】
アナログ信号及びデジタル信号を処理するため、ハイブリッド・テレビチューナが、テレビ信号処理モジュール１３のテレビチューナ１３２として選択される。テレビ信号に加えて、テレビチューナ１３２によって処理される無線信号には、画像信号ではなく、音声信号である放送信号を含むことが可能である。放送信号が、テレビ信号処理モジュール１３によって受信される場合、第２の信号Ｓ２が、放送信号に対応する。テレビ信号処理モジュール１３によって受信される無線信号の種類により、第２の信号Ｓ２がノート型コンピュータ１０に伝えられれば、ユーザーは、テレビ番組を見たり、放送番組を聴くことが可能である。
【００２７】
上記の説明から、ＧＰＳ信号処理モジュール１２及びテレビ信号処理モジュール１３は、同じ外部機能拡張装置、すなわち多機能周辺装置１に順調に組み込むことが可能である。上記の実施例では、多機能周辺装置１は、ノート型コンピュータ１０のバス接続ポート１０１と結合するため、ＵＳＢ装置によって実施される。上述のように、一般的なノート型コンピュータが持つＵＳＢポートの数は限られているため、先行技術では、ＵＳＢポートに対応する、限られたＵＳＢ装置しか、同時にノート型コンピュータで操作できない。二つの信号処理モジュールが、本考案による多目的周辺装置１に組み込まれるため、多目的周辺装置１は、一つのＵＳＢポートを使うだけでＧＰＳ信号及びテレビ信号の両方を受信可能である。結果として、ＵＳＢポートの数を減らすことができ、限られた数のＵＳＢポートが、効率的に使用される。
【００２８】
さらに、アンテナ１２１及びアンテナ１３１の機能を、一つの共通のアンテナに組み込むことが可能である。この共通のアンテナを通じて受信された無線信号は、対応の信号処理モジュール１２及び１３によって処理される。従って、多目的周辺装置１の回路レイアウトを簡素化することができる。
【００２９】
本考案の第１の実施形態を、ＧＰＳ信号処理モジュール１２及びテレビ信号処理モジュール１３を有する多目的周辺装置１を参照して示した。しかしながら、実用新案の方法を保持した、多数の多目的周辺装置の変形例が、当業者によって、直ちに研究されることと考えられる。例えば、一つ以上の追加の信号処理モジュールを、多目的周辺装置１に組み込むことが可能である。信号処理モジュールの一例には無線ネットワークモジュールがあり、例えば３Ｇ又は３．５Ｇ又はワイマックス（ＷｉＭＡＸ）のような無線広帯域プロトコルに従って操作される。以下に、第２及び第３の実施形態を、図２及び図３を参照して説明する。第２の実施形態では、無線ネットワークモジュール及びテレビ信号処理モジュールが、多目的周辺装置に組み込まれる。第３の実施形態では、無線ネットワークモジュール及びＧＰＳ信号処理モジュールが、多目的周辺装置に組み込まれる。
【００３０】
図２には、本考案の第２の実施形態による、携帯電子装置で操作される多目的周辺装置の機能的なブロック図が示される。本実施例では、図１Ａに示すＧＰＳ信号処理モジュール１２が無線ネットワークモジュール１４に置き換えられている。一方、図２の多目的周辺装置１に含まれる他の部品及びその操作原理は、図１に示すものと同様であり、重複説明はしない。多目的周辺装置１を、ノート型コンピュータ１０のバス接続ポート１０１に電気的に接続した後、多目的周辺装置１を、ノート型コンピュータ１０で操作可能である。このような状況で、ユーザーは、多目的周辺装置１のテレビ信号処理モジュール１３を通じてテレビ信号を受信することによって、テレビ番組を、ノート型コンピュータ１０を通じて見るだけでなく、無線ネットワークモジュール１４を通じてネットワークデータ信号を受信することにより、インターネットに接続することが可能である。
【００３１】
図３には、本考案の第３の実施形態による、多目的周辺装置の機能的なブロック図が示される。本実施例では、図１Ａに示すテレビ信号処理モジュール１３が無線ネットワークモジュール１４に置き換えられている。一方、図２の多目的周辺装置１に含まれる他の部品及びその操作原理は、図１に示すものと同様であり、ここで重複説明はしない。多目的周辺装置１を、ノート型コンピュータ１０のバス接続ポート１０１に結合後、多目的周辺装置１を、ノート型コンピュータ１０で操作可能である。このような状況で、ユーザーは、ＧＰＳ信号処理モジュール１２を通じてＧＰＳ信号を受信することによって、位置、方向、及び経路に関するナビゲーション情報を取得するだけでなく、無線ネットワークモジュール１４を通じてネットワークデータ信号を受信することにより、インターネットに接続することが可能である。
【００３２】
上記の実施例から、異なる信号処理モジュールが、同じ回路搬送部に搭載され、多目的周辺装置に組み込まれて、異なった種類の信号を受信する。さらに、バス・ブリッジ・モジュールを介して、多目的周辺装置は、ノート型コンピュータ又は他の携帯電子装置と通信又はそれで操作される。同様に、図２及び図３に示す多目的周辺装置は、ＵＳＢ装置に準拠するものである。二つの信号処理モジュールが、一つの多目的周辺装置に組み込まれているため、限られた数のＵＳＢポートが、効率的に使用される。また、各モジュールに対する個別のアンテナが、無線信号を受信するために一つの共通のアンテナに組み込まれるため、回路搬送部のレイアウトの複雑性を低減することができる。
【００３３】
上記の実施例では、本考案を、ＵＳＢ装置によって実行され、ノート型コンピュータで操作される多目的周辺装置を参照して説明している。しかしながら、本考案の多目的周辺装置を、携帯端末（ＰＤＡＳ）又は高度自動機能電話のような、他の携帯電子装置に適用可能である。さらに、バス接続ポート及びバス・ブリッジ・モジュールを、セキュア・デジタル入力／出力（ＳＤＩＯ）プロトコルに従って設計可能である。結果として、本考案の多目的周辺装置を、ＳＤＩＯカード又は他のＩ／Ｏカードで実行可能である。
【００３４】
さらに、多目的周辺装置に使用される回路搬送部は、回路基板である。回路基板は、特定の寸法の枠で囲み、多目的周辺装置を特定のバス接続ポートに準拠するよう形成することが可能である。例えば、ノート型コンピュータで操作するために、多目的周辺装置を、ＰＣＩエキスプレス（ＰＣＩ−Ｅ）インターフェースを有し、少なくとも二種類の信号受信／処理モジュールを含むように設計可能である。説明から、当業者は、多目的周辺装置又は回路搬送部は、周知のインターフェース、例えばＵＳＢインターフェース、カードバス・インターフェース、外部エキスプレス・カード・インターフェースおよび内蔵ミニカードインターフェースを含むＰＣＩ−Ｅインターフェース、ミニＰＣＩインターフェース、又は他の転送インターフェースを有するよう設計可能である。さらに、機能信号受信／処理モジュールは、対応の無線信号を受信するための個別のアンテナを有することが可能である。あるいは、個別のアンテナの機能を、異なった種類の無線信号を受信するために、一つの共通のアンテナに組み込むことが可能である。
【００３５】
本考案を、二つの機能拡張モジュールを有する多目的周辺装置を参照して説明した。しかしながら、本考案の多目的周辺装置には、３つ以上の機能拡張モジュールを含むことが可能である。これらの機能拡張モジュールの例には、ＧＰＳ信号処理モジュール、テレビ信号処理モジュール、無線ネットワークモジュール、及びブルートゥース・モジュールのような他の信号受信／処理モジュールが含まれるが、それに限定するものではない。従って、先行技術で発生した問題は解決され、携帯電子装置の限られた数のポートを、さらに効率的な方式で使用可能である。
【００３６】
本実用新案は、現在最も実用的と見なされる、実施形態の観点から説明されたが、本実用新案は、開示の実施例に限定されるものではない。反対に、広い解釈と一致する、添付の請求項の観念及び範囲に含まれる、多様な変形例及び同様の配置を対象としたものであり、そういった変形例及び同様の構造を全て網羅するものである。
【図面の簡単な説明】
【００３７】
以下に、本考案の背景技術及び最良の形態について、添付図面を参照し、実施例により説明する。
【図１Ａ】本考案の第１の実施形態による、携帯電子装置で操作される多目的周辺装置を示す機能的なブロック図。
【図１Ｂ】図１Ａの多目的周辺装置に含まれる、ＧＰＳ信号処理モジュールを示す機能的なブロック図。
【図１Ｃ】図１Ａの多目的周辺装置に含まれる、テレビ信号処理モジュールを示す機能的なブロック図。
【図２】本考案の第２の実施形態による、携帯電子装置で操作される多目的周辺装置を示す機能的なブロック図。
【図３】本考案の第３の実施形態による、携帯電子装置で操作される多目的周辺装置を示す機能的なブロック図。
【符号の説明】
【００３８】
１ 多目的周辺装置
１０ ノート型コンピュータ
１１ 回路搬送部
１２ ＧＰＳ信号処理モジュール
１３ テレビ信号処理モジュール
１４ 無線ネットワークモジュール
１５ バス・ブリッジ・モジュール
１０１ バス接続ポート
１２１ アンテナ
１２２ 低ノイズ増幅器
１２３ ＧＰＳチューナ
１２４ アナログ−デジタル変換器
１２５ ベースバンド復調器
１３１ アンテナ
１３２ テレビチューナ
１３３ テレビ復調器
１３４ テレビ復号器
Ｓ１ 第１の信号
Ｓ２ 第２の信号
【図１Ａ】
0003133489.tif 000003
【図１Ｂ】
0003133489.tif 000004
【図１Ｃ】
0003133489.tif 000005
【図２】
0003133489.tif 000006
【図３】
0003133489.tif 000007